(57)【要約】【課題】  試料分析装置を用いてプラントで採取される試料の分析を行う試料分析工程に際して必要となる情報を表示し、表示情報を援用して行われる試料分析の効率を高める。【解決手段】  試料分析支援装置１０１として、試料の分析場所ｃ１、分析対象項目ｃ２、プラントの運転状態ｃ３からなる複数の分析条件を規定しこの分析条件毎に試料分析装置を用いて分析を行う周期ｃ４を設定する分析周期設定部４と、設定された分析周期を格納する分析周期データベース５と、表示部１に分析条件と分析周期ｃ４とを関連付けて表示させる表示処理部２とを設ける。【選択図】  図１
2006029877.tif 000002
【特許請求の範囲】
【請求項１】
試料分析装置を用いてプラントで採取される試料の分析を行う試料分析工程を支援する試料分析支援装置であって、試料の分析場所、分析対象項目、プラントの運転状態からなる複数の分析条件を規定しこの分析条件毎に試料分析装置を用いて分析を行う周期を設定する分析周期設定部と、設定された分析周期からなる分析周期データを格納する分析周期データベースと、表示部に前記分析条件と前記分析周期とを関連付けて表示させる表示処理部と、を有する、試料分析支援装置。
【請求項２】
前記試料分析装置を用いて行った試料分析の結果を逐次蓄積する分析結果データベースと、前記分析条件毎に、前記分析結果データベースに蓄積された最近の試料分析結果を得た分析日時と前記分析周期設定部で設定された分析周期とから次回の分析予定日時を判定し前記表示処理部に出力する分析日時判定部と、をさらに有し、前記表示処理部は、前記表示部に、前記分析条件と前記分析日時判定部で判定された次回の分析予定日時とを関連付けて表示させることを特徴とする、請求項１記載の試料分析支援装置。
【請求項３】
前記分析条件毎に次回の試料分析の予想値を設定する分析予想値設定部と、この試料分析の予想値を格納する分析予想値データベースと、をさらに有し、前記表示処理部は、前記表示部に、前記分析条件と、前記分析結果データベースに蓄積された最近の試料分析結果の分析結果値と前記分析予想値データベースに格納された次回の試料分析の予想値とを関連付けて表示させることを特徴とする、請求項２記載の試料分析支援装置。
【請求項４】
前記試料分析装置は複数の分析設備を有し、前記分析条件毎に、試料分析に使用する分析設備の番号が設定されてなり、前記表示処理部は、前記表示部に、前記分析条件と前記分析設備の番号とを関連付けて表示させることを特徴とする、請求項１ないし３のいずれか記載の試料分析支援装置。
【請求項５】
前記試料分析装置は複数の分析設備を有し、この分析設備毎に設備使用予定スケジュールに関する情報を格納する分析設備使用予定データベースと、前記分析条件毎に設定される試料分析に使用する分析設備の番号を設定し、前記分析使用予定データベースに格納された各分析設備の設備使用予定スケジュールと関連付ける分析設備使用予定識別部と、を有し、前記表示処理部は、前記表示部に、前記分析条件と前記分析設備の番号を関連付けて表示させ、さらに前記分析設備毎に前記設備使用予定スケジュールを表示させることを特徴とする、請求項１ないし３のいずれか記載の試料分析支援装置。
【請求項６】
前記分析設備毎に試料分析に要する分析設備の使用時間を設定する分析設備使用時間識別部と、前記分析設備毎の使用時間情報を格納する分析設備使用時間データベースと、を有し、前記表示処理部は、前記表示部に、前記分析条件に前記分析設備の番号と使用時間とを関連付けて表示させることを特徴とする、請求項４または５記載の試料分析支援装置。
【請求項７】
前記分析条件毎に分析予定日時から分析時刻を変更する際に許容される時間幅を示す変更許容時間を設定する分析日時変更設定部と、この変更許容時間に関する情報を格納する変更許容時間データベースと、を有し、前記表示処理部は、前記表示部に、前記分析条件に前記次回の分析予定日時と前記変更許容時間とを関連付けて表示させることを特徴とする、請求項２ないし６のいずれか記載の試料分析支援装置。
【請求項８】
前記分析対象毎に緊急に分析を行うべき事象を識別する緊急事象識別部を有し、前記表示処理部は、前記表示部に、識別された緊急度の高い事象に対応する分析条件を強調して表示させることを特徴とする、請求項７記載の試料分析支援装置。
【請求項９】
前記緊急事象識別部が緊急に分析を行うべき事象があると判定した場合に、前記表示処理部は、前記表示部に、緊急に分析を行う必要がある旨の警報を表示させることを特徴とする、請求項８記載の試料分析支援装置。
【発明の詳細な説明】
【技術分野】
【０００１】
本発明は、プラント等で取り扱われる溶液等の試料の分析を行う試料分析支援装置に関する。
【背景技術】
【０００２】
例えば放射性物質等の重要物質を含む溶液を扱う発電プラントや化学プラントにおいて、液体試料を分析するにあたっては、分析設備の使用予定は、プラントの各工程の運転予定に基づき計画されている。
【０００３】
分析設備の使用予定の計画策定の方法として、従来、例えば、計測試験システムにより実現する方法として、計測試験の内容および試験期間を計測試験サーバに入力し、これに基づいて計測試験サーバが使用する試験設備の割付および試験スケジュールを作成してこれに沿って作動した試験設備が得た計測データを前記計測試験サーバに転送し、ユーザが通信ネットワークを介して当該ユーザの分の計測データを呼び出すことを可能とする計測試験システムが使用されている（特許文献１を参照）。
【特許文献１】特開２００２−１３２８９５号公報
【発明の開示】
【発明が解決しようとする課題】
【０００４】
例えば、核物質等の重要物質を含む溶液を扱う化学プラントにおいては、プラントの各工程の運転員が運転を行うために確認すべき分析対象を予め考慮し、分析設備の使用計画をたてる必要がある。しかしながら、分析すべき場所や項目といった分析対象が多く、プラント起動・定常運転・停止といった運転状態によって分析の要否が異なる場合や、予想される値が異なると使用する設備が変わるなどするため、必要な分析対象に対する分析設備の使用予定がもれてしまい、運転に支障が生じる可能性がある。
【０００５】
また、プラントの運転が複数の工程からなる場合、各工程の運転に必要な分析が競合し分析設備の使用予定が計画できない場合や、緊急に分析が必要となっても分析設備の使用予定が既に決まっていて実施できない場合が想定される。
【０００６】
本発明は、こうした問題を解決するためになされたもので、プラントの各工程の運転に必要な分析が実施されるよう分析設備の使用予定を計画するとともに、緊急な分析も速やかに計画可能とする試料分析支援装置を提供することを目的とする。
【課題を解決するための手段】
【０００７】
上記目的を達成するため、本発明は、試料分析装置を用いてプラントで採取される試料の分析を行う試料分析工程を支援する試料分析支援装置であって、試料の分析場所、分析対象項目、プラントの運転状態からなる複数の分析条件を規定しこの分析条件毎に試料分析装置を用いて分析を行う周期を設定する分析周期設定部と、設定された分析周期からなる分析周期データを格納する分析周期データベースと、表示部に分析条件と分析周期とを関連付けて表示させる表示処理部と、を有する、試料分析支援装置を提供する。
【０００８】
これにより、表示部には、試料分析工程を支援するための情報として、分析対象、分析対象項目、プラントの運転状態といった複数の分析条件それぞれについて、分析条件に関連付けられた分析周期があわせて表示される。本発明における試料分析支援装置により、実際には、プラントの試料分析は、表示処理部によって表示部に表示されるこうした関連付けられた一連の情報を援用して行われる。
【０００９】
さらに、本発明においては、試料分析支援装置が、試料分析装置を用いて行った試料分析の結果を逐次蓄積する分析結果データベースと、分析条件毎に、分析結果データベースに蓄積された最近の試料分析結果を得た分析日時と分析周期設定部で設定された分析周期とから次回の分析予定日時を判定し表示処理部に出力する分析日時判定部と、をさらに有し、表示処理部は、表示部に、分析条件と分析日時判定部で判定された次回の分析予定日時とを関連付けて表示させるよう、設定することが好適である。
【発明の効果】
【００１０】
本発明によれば、実際に試料分析を行う際の取扱いの説明に匹敵する情報を表示部に表示させることで、こうした表示情報を援用して行われる試料分析が複数の試料分析条件それぞれに対応した正確な条件下で適時適切に履行されるように、試料分析工程を効果的に支援することができる。
【発明を実施するための最良の形態】
【００１１】
以下、本発明に係る試料分析支援装置の実施例について、図面を参照して説明する。
【００１２】
（実施例１）
まず、図１を用いて実施例１を説明する。本実施例１に係る試料分析支援装置１０１は、ＣＲＴやプリンタ等のうちの少なくとも１つを含む表示部１と、表示部に対して後述する分析支援情報を表示させる表示処理部２と、データの入力を受け付ける入力部３と、入力部３からの入力情報をもとに分析周期を設定する分析周期設定部４と、分析周期設定部４により設定される分析周期に関するデータを保有してなる標準分析周期データベース５を有するものである。
【００１３】
ここで、表示部１に表示される試料分析支援情報とは、プラントの分析場所ｃ１、各分析場所ｃ１における分析項目ｃ２、分析場所ｃ１におけるプラント機器の運転状態区分ｃ３、および、各分析場所ｃ１、各分析項目ｃ２、各運転状態区分ｃ３を分析条件として指定した際に各分析条件に対して通常一意に定められる標準分析周期ｃ４、を含むものである。ここでは、一例として、原子力発電プラントのある分析場所Ｖ１，Ｖ２において採取あるいは分析履行される試料分析の支援方法について説明する。
【００１４】
入力部３により、分析場所ｃ１と、各分析場所ｃ１における分析項目ｃ２と運転状態ｃ３を指定する。ここでは、分析場所ｃ１にＶ１０という場所を指定し、ここでの分析項目ｃ２として試料中のウラン（Ｕ）、プルトニウム（Ｐｕ）の濃度を指定し、またこの場合のプラントの運転状態ｃ３を指定する。例えば、分析場所ｃ１：Ｖ１０において分析項目ｃ２：Ｕ、運転状態ｃ３：「起動」、を指定することで、プラント起動時の試料中のウラン濃度を測定することとする。さらに、図示するように、分析場所ｃ１：Ｖ１０において、分析項目ｃ２：Ｕを、運転状態ｃ３が「起動」（プラント起動時）と「定常」（プラント定常運転時）との双方を指定する。
【００１５】
ここで、分析周期設定部４により、分析場所ｃ１、分析項目ｃ２、運転状態ｃ３を指定した各分析条件に対して、標準分析周期ｃ４を設定する。予め分析条件に対して定義され標準分析周期データベース５に格納された標準分析周期情報を分析周期設定部４が読み出して標準分析周期として設定することとする。なお、入力部３より新規に入力された分析条件に対しては、直接標準分析周期ｃ４を入力部３より入力することとしてもよく、この場合、入力部３より入力された特定の分析条件に対する標準分析周期は標準分析周期データベース５に格納することとする。
【００１６】
一例として上述した場合においては、分析場所ｃ１：Ｖ１０、分析項目ｃ２：Ｕ、運転状態ｃ３：「起動」の場合の標準分析周期ｃ４を「６時間」と設定する。また、分析場所ｃ１：Ｖ１０、分析項目ｃ２：Ｐｕについて、運転状態ｃ３：「起動」の場合の標準運転周期ｃ４を「３時間」、運転状態ｃ３：「定常」の場合の標準運転周期ｃ４を「６時間」と、それぞれ設定する。
【００１７】
以上のように設定された標準分析周期ｃ４を含む試料分析支援情報は、表示処理部２に送られ、表示部１にデータを一覧表示するための表示処理がなされ、結果、表示部１に、図示したような表形式で表示される。
【００１８】
本実施例は、試料分析支援装置が、標準分析周期データベース５を利用して分析周期設定部４により標準的な分析周期を設定する機能（Ｓ１０１）を有する点に特徴があり、これにより、分析対象毎に分析条件とともに標準的な分析周期が運転状態別に表示される。すなわち、分析対象毎に、分析対象項目別に、かつ、プラント起動・定常運転・停止といった運転状態別に、標準的な分析周期が表示されるから、実際に分析を行う際に、一度行った分析と同じ条件下での次の分析をどの程度の時間後に実施すべきかという情報を明示することで、試料分析を正確な条件下で適時に行うよう試料分析工程を支援することができる。
【００１９】
（実施例２）
図２を用いて実施例２を説明する。なお実施例１と同一の構成には同一の符号を付し、重複する説明は省略する。また、前述した入力部３による分析場所ｃ１等の分析条件の入力は予め設定されているものとし、以下の実施例すべてにおいて入力部３の図示および説明を省略する。本実施例２に係る試料分析支援装置１０２は、実施例１に係る試料分析支援装置１０１の構成に加えて、試料分析装置１００から試料分析結果データの入力を受け付け格納する分析結果データベース７と、分析結果データベース７に分析の都度入力される分析結果と、標準分析周期データベース５に格納された標準分析周期情報から、適切な次回の分析予定日時を判定する分析日時判定部６とを有する。
【００２０】
なお、本実施例で「日時」とは、年月日および時刻（時・分）を含むもの、たとえば「２００４年８月３日２３時２５分」と表される詳細な日付、時刻情報をいうものとする。
【００２１】
分析日時判定部７は、試料分析装置１００から入力される試料分析結果情報について、その分析結果の分析条件に関する情報として、分析場所ｃ１、分析項目ｃ２、運転状態ｃ３と、図示しない計時手段により計時された分析が行われた日時（日付、時刻）を取得する。試料分析装置１００から入力される試料分析結果情報は、予め定められた分析場所ｃ１、分析項目ｃ２、運転状態ｃ３に基づいて採取された試料を分析して得られるものであり、例えば原子力発電プラントの所定の配管中の冷却材に含まれるウラン濃度のようなものである。さらに、分析日時判定部７は、分析場所ｃ１、分析項目ｃ２、運転状態ｃ３を含む分析条件に関する情報に対応する標準的な分析周期ｃ４を、標準分析周期情報データベース５から読み出す。
【００２２】
分析日時判定部７は、ある分析条件に対応する試料分析結果情報の分析が行われた日時と、標準的な分析周期から、次回の分析を行う日時を演算する。例えば、分析場所ｃ１：Ｖ１０、分析項目ｃ２：Ｐｕ、運転状態ｃ３：「定常」という分析条件に基づく試料分析が行われた最近の日時が「２００４年８月４日５時２５分」であり、この分析条件に対応する標準分析周期ｃ４が「６時間」である場合、分析日時判定部７は、この最近の日時から１周期を経過した日時、すなわち「２００４年８月４日１１時２５分」を、次回の分析予定日時ｃ５として、これを表示処理部２に出力する。
【００２３】
表示処理部２は、表示部１に、分析日時判定部７により判定された次回分析予定日時ｃ５を、分析場所ｃ１、分析項目ｃ２、運転状態ｃ３、標準分析周期ｃ４とともに表形式に表示させる。
【００２４】
本実施例は、試料分析支援装置が、特定の分析場所、分析項目、運転状態における試料分析に際して、標準分析周期と過去の分析実績を比較して、次に分析すべき日時を表示する分析日時判定機能（Ｓ１０２）を有する点に特徴があり、これにより、分析対象毎に分析条件とともに標準的な次回の試料分析時刻が表示される。これにより、実際に分析を行う際に、一度行った分析と同じ条件下での次の分析を次回はいつ実施すべきかという情報を明示することで、試料分析を正確な条件下で適時に行うよう試料分析工程を支援することができる。
【００２５】
（実施例３）
図３を用いて実施例３を説明する。なお実施例２と同一の構成には同一の符号を付し、重複する説明は省略する。本実施例３に係る試料分析支援装置１０３は、実施例２に係る試料分析支援装置１０２の構成に加えて、分析場所ｃ１、分析項目ｃ２、運転状態ｃ３からなる分析条件毎に定められた標準的な分析予想値ｃ６を設定する分析予想値設定部８と、設定された標準的な予想値ｃ６を格納する標準分析予想値データベース９とを有する。また、分析結果データベース７に入力される分析結果データのうち、分析値情報は、分析場所ｃ１、分析項目ｃ２、運転状態ｃ３の分析条件に関する情報とともに分析日時判定部６を介して表示処理部に送られ、表示部１に表示されるものとする。
【００２６】
分析予想値設定部８は、予め定められた分析条件毎に、その分析場所ｃ１、運転状態ｃ３の条件下で分析項目ｃ２について試料を分析した場合の分析予想値を設定するものであり、例えば、分析場所ｃ１：Ｖ１０、運転状態ｃ３：「起動」における分析項目ｃ２：Ｕ（ウラン濃度）に関する分析予想値ｃ６を、１０ｇ／ｍ３ と予想する。ここでの予想は、理論上の数値として算出されるものであっても、実際の過去の測定値の蓄積に基づいて標準的な値として算出されるものであってもよいが、以下の説明は後者の場合を想定する。この標準分析予想値ｃ６を他の分析条件に関する情報と関連付けて標準分析予想値データベース９に格納する。
【００２７】
この場合、表示処理部２は、表示部１に対し、分析場所ｃ１、分析項目ｃ２、運転状態ｃ３からなる分析条件と、それぞれに対応する標準分析周期ｃ４、次回分析予定日時ｃ５に加えて、それぞれの分析条件に対応する、分析結果データベース７に格納された最近の分析結果としての分析値ｃ７と、分析予想値設定部８により設定された標準分析予想値ｃ６とを表示する。例えば、上述した、分析場所ｃ１：Ｖ１０、運転状態ｃ３：「起動」における分析項目ｃ２：Ｕ（ウラン濃度）に関する分析について、標準分析予想値ｃ６：「１０ｇ／ｍ３」を、実際の前回（直前）の分析により得られた分析値ｃ７：「９．８ｇ／ｍ３」と並べて表示させる。
【００２８】
本実施例は、試料分析支援装置が、特定の分析場所、分析項目、運転状態における試料分析に際して、標準的な分析予想値を設定する分析予想値設定機能（Ｓ１０３）を有する点に特徴があり、これにより、また、この分析予想値と最近の分析結果から得られた分析値とを表示部上に併せて表示することにより、予想値と現実の結果がうまく相関していれば分析が正しく行われていることを確認できる。また、分析の種類によっては、予想値が実際の分析前に表示されることで、ある程度の分布の目処をつけて効率的に試料分析作業を進めることができる。また、予想値と現実の結果があまり相関していない場合に、分析工程の瑕疵あるいは分析に用いた設備の故障の可能性に気付くことがあり、また、分析結果をもとに更に詳細な分析を行うなどの２次的な措置を講じることができる。このように、分析結果と将来予想値との比較確認が容易になるから、効率的でまた信頼性の高い試料分析を支援することができる。
【００２９】
なお、本実施例においては、分析予想値設定部８において実行される分析対象毎の標準的な分析予想値の設定を、都度蓄積される分析結果をも参照し適切なタイミングで更新する構成としてもよい。すなわち、分析予想値を過去一定回数の分析結果により得られる分析値の平均として定義した場合などでは、分析結果データベース７に蓄積される複数の分析値をもとに最新の分析予想値を都度得ることとすれば、分析が進むにつれてより精度の高い分析予想値を得ることができる。
【００３０】
（実施例４）
図４を用いて実施例４を説明する。なお実施例３と同一の構成には同一の符号を付し、重複する説明は省略する。本実施例４に係る試料分析支援装置１０４は、実施例３に係る試料分析支援装置１０３の構成に加えて、分析場所ｃ１、分析項目ｃ２、運転状態ｃ３からなる分析条件毎に定められた分析に使用される設備それぞれの設備使用予定スケジュール情報を格納する分析設備使用予定データベース１１と、この分析設備使用予定データベースに格納された各分析設備の使用予定を識別するとともに、分析場所ｃ１、分析項目ｃ２、運転状態ｃ３からなる分析条件毎に定められた分析に使用される設備の種類を対応付けて識別する分析設備使用予定識別部１０とを有する。
【００３１】
一般に、試料分析においては、その分析条件、とくに分析項目によって異なる分析設備を用いることが多い。また、試料分析対象が多い場合や１件あたりの試料分析に要する時間が多い場合にも、複数の分析設備を用いる。
【００３２】
そこで、本実施例では、各試料分析条件に対応して複数の設備を使用することとし、上述した分析場所ｃ１、分析項目ｃ２、運転状態ｃ３からなる分析条件毎に対応する分析設備を規定して、分析設備使用予定識別部１０に格納する。例えば、分析項目ｃ２によって分析設備を変える場合として、分析項目ｃ２：Ｕ（ウラン濃度）の分析には分析設備番号ｃ８として「設備１」を、分析項目ｃ３：Ｐｕに対応する分析設備番号ｃ８として「設備２」を、分析項目ｃ２：Ｆに対応する分析設備番号ｃ８として「設備３」を、それぞれ予め定めておく。この場合、試料分析装置１００とは、上述した各設備（設備１、設備２、設備３、…）を全て包含するものである。
【００３３】
また、各分析設備の使用予定日時を試料分析装置１００側に予め分析利用者が都度入力して特定日時の当該分析設備の使用を予約する。そして、試料分析装置１００から、各分析設備の使用予定スケジュール、すなわち分析装置の使用が既に予約されている時間帯に関する情報を受け取り、分析設備使用予定データベース１１に格納する。
【００３４】
分析設備使用予定識別部１０では、上述した分析場所ｃ１、分析項目ｃ２、運転状態ｃ３からなる分析条件毎に対応する分析設備の分析設備番号ｃ８と、各分析設備番号ｃ８毎に分析設備使用予定データベース１１に格納された使用予定スケジュールに関するデータを、表示処理部２に送る。
【００３５】
この場合、表示処理部２は、表示部１に対し、分析場所ｃ１、分析項目ｃ２、運転状態ｃ３と、それぞれに対応する標準分析周期ｃ４、次回分析予定日時ｃ５、標準分析予想値ｃ６、前回の分析により得られた分析値ｃ７とともに、それぞれの分析条件に対応した使用する分析設備番号ｃ８を表示する。上述の場合では、分析項目ｃ２：Ｕ，Ｐｕ，Ｆにそれぞれ対応して、分析設備番号ｃ８：設備１，設備２，設備３を割り振っている。また、分析設備使用予定データベース１１に格納されたデータをもとに、各分析設備の使用予定スケジュールとして、分析設備毎に、既に使用予定が入っている時間帯を示したチャートｃ１１が示される。図に示す場合では、設備１は、８月４日の６時１５分から１０時、１４時から２１時１５分、２２時１５分から２３時１５分に使用予定がある。こうしたスケジュールを表示させることで、ある分析条件下での試料分析を新たに計画する際に、この条件に適合した試料分析装置を自動判別し、他の分析対象が使用する予定の時間を避けて分析設備の使用予定を計画することができる。
【００３６】
本実施例は、試料分析支援装置が、特定の分析場所、分析項目、運転状態における試料分析に際して使用される分析設備番号を識別管理する分析設備使用予定識別機能（Ｓ１０４）を有するとともに、各分析設備の使用予定スケジュールを管理し表示を行う点に特徴があり、これにより、分析対象毎に使用する分析設備とその設備の使用予定に関する情報を表示することで、適切な分析装置を適時に競合することなく確実に使用することができるので、効率的にかつ確実に複数の分析設備を用いての複数の分析条件に沿って総合的に行われる試料分析計画の策定を支援することができる。
【００３７】
なお、本実施例においては、各分析設備についての予約済みの時間をチャートｃ１１に表示するか、使用可能な時間をチャートｃ１１に表示するか、その双方を例えば色を買えて表示するかなど、さまざまなスケジュール表示の態様が考えられる。
【００３８】
（実施例５）
図５を用いて実施例５を説明する。なお実施例４と同一の構成には同一の符号を付し、重複する説明は省略する。本実施例５に係る試料分析支援装置１０５は、実施例４に係る試料分析支援装置１０４の構成に加えて、各分析設備について、分析場所ｃ１、分析項目ｃ２、運転状態ｃ３からなる分析条件毎に、１回の標準的な分析に要する時間を標準使用時間として記憶する分析設備標準使用時間データベース１３と、この分析設備標準使用時間データベース１３のデータをもとに各分析条件における分析設備の使用時間を各分析条件に対応付けて識別する分析設備使用時間識別部１２とを有する。
【００３９】
分析設備標準使用時間データベース１３は、例えば、分析場所ｃ１：Ｖ１０、分析項目：Ｐｕ、運転状態：「起動」または「定常」の場合に使用される分析設備番号ｃ８：「設備２」の標準的な使用時間ｃ９が「１時間」であり、また、分析場所ｃ１：Ｖ２０、分析項目：Ｐｕ、運転状態：「起動」または「定常」の場合に使用される分析設備番号ｃ８：「設備２」の標準的な使用時間ｃ９が「２時間」であるといったように、各使用条件とそれに対応した分析設備毎に、分析設備の標準使用時間ｃ９をデータとして格納する。分析設備使用時間識別部１２では、この分析設備標準使用時間データベース１３に格納されたデータをもとに、各分析条件に対応した分析設備の標準使用時間ｃ９を識別し管理するとともに、表示処理部２を介して、分析条件として表示される分析場所ｃ１、分析項目ｃ２、運転状態ｃ３と、各分析条件に対応して表示される次回分析予定日時ｃ５、使用する分析設備番号ｃ８等の情報に加えて、各分析条件に対応して分析設備の標準使用時間ｃ９を併せて表示させる。
【００４０】
また、各分析設備の使用予定を示すチャートｃ１１上に、各分析設備の標準使用時間ｃ９に対応した、分析開始予定日時ｃ５から開始して標準使用時間ｃ９の長さの時間を新たに分析設備使用を申請できない分析日時使用不可時間ｃ１２として使用予定を示すチャートｃ１１とは別の色とするなど区別可能な態様で重ねて表示する。ここでは、設備１の使用予定時間として指定されている８月４日１５時４０分から８月５日２時２０分のうち、ある分析を開始する時刻（１５時４０分、２０時２０分）からの当該分析の標準使用時間（１時間）を、他の分析に使用することを禁止する分析日時使用不可時間ｃ１２として指定する。これは、使用する分析設備の標準的な使用時間をその長さによって表示するとともに、当該設備の使用予定に対する新たな計画策定の可否を図示したものと考えられる。
【００４１】
本実施例は、試料分析支援装置が、特定の分析場所、分析項目、運転状態における試料分析に際して使用される分析設備番号に対応して設定される標準使用時間を識別管理する分析設備使用時間識別機能（Ｓ１０５）を有するとともに、各分析設備の使用予定スケジュールをその使用指定不可時間帯とともに管理し表示を行う点に特徴があり、これにより、新たな分析設備の使用計画を策定する場合であっても、適切な分析装置を他の分析対象の使用予定と競合することなく適時に使用することができるので、効率的にかつ確実に、複数の分析設備を用いての複数の分析条件に沿って総合的に行われる試料分析計画の策定を支援することができる。
【００４２】
なお、本実施例では、各分析において、実施例６において後述するような分析日時の変更が可能となる場合には、指定不可時間ｃ１２の表示を行わないことも考えられる。図５に示した例では、一部の分析については分析日時変更を許容するものと想定して、指定不可時間ｃ１２の表示を一部に限っている。
【００４３】
（実施例６）
図６を用いて実施例６を説明する。なお実施例５と同一の構成には同一の符号を付し、重複する説明は省略する。本実施例６に係る試料分析支援装置１０６は、実施例５に係る試料分析支援装置１０５の構成に加えて、各分析設備について、分析場所ｃ１、分析項目ｃ２、運転状態ｃ３からなる分析条件毎に、次回の分析予定日時ｃ５から分析日時を変更すると想定した場合にどの程度の時間を変更可能とするかを示す変更許容時間ｃ１０を設定する分析日時変更設定手段設定部１４と、各分析条件と各分析設備に対する変更許容時間１５を格納する変更許容時間データベース１５とを有する。
【００４４】
分析日時変更許容時間ｃ１０とは、分析条件、分析設備毎に定められた、次回の分析予定日時からどの程度の時間幅で日時を変更できるかを示すものであり、分析日時変更許容時間設定部１４により設定され、分析日時変更許容時間データベース１５にデータとして格納される。図に示した場合を例に説明すると、分析場所ｃ１：Ｖ１０、分析項目ｃ２：Ｕ、運転状態ｃ３：「起動」の場合で、次回分析予定日時ｃ５：２００４年８月４日１１時２５分、分析設備：「設備１」による分析の場合、分析日時変更許容時間ｃ１０を「３時間」とすると、本来の次回分析予定日時ｃ５から３時間以内、すなわち同日１１時２５分から１４時２５分までの間に次回の分析を行えばよく、この範囲で予定を変更できる。なお、この分析日時変更許容時間ｃ１０はその分析の特性によって異なり、例えば必ず次回分析予定日時ｃ５に分析を開始しなければならないような場合、すなわち分析日時変更許容時間ｃ１０が「０分」の場合もありうる。このような場合には上述した分析日時新規指定不可時間帯ｃ１２が表示される。
【００４５】
分析日時変更許容時間設定部１４は、分析条件、分析設備毎に設定された分析日時変更許容時間ｃ１０を識別し管理するとともに、表示処理部２を介して、分析条件として表示される分析場所ｃ１、分析項目ｃ２、運転状態ｃ３と、各分析条件に対応して表示される次回分析予定日時ｃ５、使用する分析設備番号ｃ８、標準使用時間ｃ９等の情報に加えて、各分析条件、分析設備に対応して分析設備の変更許容時間ｃ１０を併せて表示させる。
【００４６】
本実施例は、試料分析支援装置が、特定の分析場所、分析項目、運転状態における試料分析に際して使用される分析設備番号に対応して、標準使用時間と同様に設定される分析予定の変更許容時間を設定管理する分析日時変更許容時間識別機能（Ｓ１０６）を有するとともに、各分析条件、分析設備に対応してその変更許容時間を表示する点に特徴があり、これにより、新たな分析設備の使用計画を策定する場合、その新規の計画に、重要度または緊急度が高く優先して行うべき試料分析が含まれているような場合であっても、当該新規計画と競合する時間帯に予定されている試料分析の時間を許容時間の範囲内で変更することで、両方の試料分析を行えるように使用計画を変更することが可能となる。
【００４７】
すなわち、同一の時間帯に同一の分析設備を使用するような試料分析が競合して予定されるような場合であっても、設定された変更許容時間をもとに一部の試料分析の予定日時を適切に変更することで、分析装置の競合を回避した予定の組み換えが可能となるので、緊急に実施すべき試料分析を優先して行い、かつ他の試料分析も行うことができる。よって、効率的にかつ確実に、複数の分析設備を用いての複数の分析条件に沿って総合的に行われる試料分析計画の策定を支援することができる。
【００４８】
（実施例７）
図７を用いて実施例７を説明する。なお実施例６と同一の構成には同一の符号を付し、重複する説明は省略する。本実施例７に係る試料分析支援装置１０７は、実施例６に係る試料分析支援装置１０６の構成に加えて、外部の制御装置１１０から入力される制御信号をもとに、多数の試料分析のうち、定期的な分析とは別に緊急に分析をする必要がある事象を識別する緊急分析事象識別部１６を有する。
【００４９】
プラントの制御装置１１０は、プラントの各種構成機器の状態を監視制御しているが、プラントの運転継続に影響する可能性があるような事象が発生し、緊急の対策が必要となることがある。このとき、この緊急の対策のための特定の試料分析が必要となるような場合に、制御装置１１０から試料分析支援装置１０７の緊急分析事象識別部１６に対して制御信号が出力される。この信号の入力を受けて、緊急分析事象識別部１６は、複数の試料分析を行う事象の分析条件のなかから、当該制御信号に対応する当該緊急の対策に必要となる事象がある場合、この事象を検出し、対象事象を表示処理部２に対して出力する。具体的には、表示処理部２に、表示部１に表示される複数の試料分析事象の中から対象となる事象がどれであるかが容易に判別できるような状態で表示されるよう指示信号を出力する。
【００５０】
図示した場合においては、制御装置１１０からの信号入力を受けた緊急分析事象識別部１６が、分析場所ｃ１：Ｖ１０、分析項目ｃ２：Ｐｕ、運転状態ｃ３：「起動」を条件とする試料分析を緊急性の高い試料分析と判断し、表示部１に表示される複数の試料分析事象のなかから当該緊急性の高い事象を選択的に強調表示する。ここでは、該当する試料分析事象、特にその分析場所ｃ１、分析項目ｃ２、使用する分析設備ｃ８等の情報を、網掛けにより強調表示して他と区別するとともに、この緊急性の高い分析項目を示すフラグｃ１３を併せて表示するようにしている。また、緊急を要する場合であることを示す警報表示ｃ１４および当該緊急分析事象に関する分析場所ｃ１、分析項目ｃ２を特定するコメントｃ１５を併せて表示部１に表示するようになっている。
【００５１】
このフラグｃ１３、警報表示ｃ１４、コメントｃ１５により、緊急の分析を行うことを報知することができる。また、この報知に伴う緊急の試料分析を行うにあたり、使用する対象機器番号ｃ８の使用予定がチャートｃ１１に示されていることから、必要に応じて、適宜、上述した実施例６の方法により試料分析の予定を変更許容時間ｃ１０の範囲内で組み替えることで、緊急の試料分析と通常の試料分析の双方をその緊急度順に履行することができる。
【００５２】
本実施例は、試料分析支援装置が、複数の試料分析事象のなかから、プラントの発生した事象に対応した緊急度の高い試料分析事象を識別する緊急分析事象識別機能（Ｓ１０８）を有し、当該緊急度の高い事象を他と区別可能に表示せしめる点に特徴があり、これにより、プラント制御状態に対応した緊急度の高い試料分析を優先して直ちに行うとともに他の試料分析も必要に応じて適時に変更して行うで、効率的にかつ確実に、複数の分析設備を用いての複数の分析条件に沿って総合的に行われる試料分析計画の策定を支援することができる。
【００５３】
以上、実施例１ないし実施例７において説明した試料分析支援装置が実現する複数の機能について、図８のフローチャートをもとに総括的に説明する。試料分析支援装置１０７では、表示処理部２を介して、表示部１に対して、以下の工程により、試料分析の条件および予定、緊急度に関する表示を指示する。
【００５４】
まず、分析周期設定機能（ステップＳ１０１）にて、分析対象毎に標準的な分析周期を運転状態別に示す。次に分析日時判定機能（ステップＳ８０２）にて標準分析周期と過去の分析実績を比較して次に分析すべき日時を示す。また、分析予想値設定機能（ステップＳ８０３）により分析対象毎の標準的な分析予想値を運転状態別に過去の分析結果値と合わせて示す。
【００５５】
分析設備使用予定識別機能（ステップＳ８０４）では、分析対象毎に使用する分析設備とその設備の使用予定を示し、さらに、分析設備使用時間識別機能（ステップＳ８０５）では、分析対象毎に分析設備の標準的な使用時間とその設備の使用予定を比較して示す。また、分析日時変更許容時間設定機能（ステップＳ８０６）では、緊急に実施すべき分析が生じた場合に分析設備の使用予定が変更可能なよう分析日時の変更許容時間を指定する。
【００５６】
こうして、上記ステップＳ１０１からＳ１０６に説明した各設定、識別、判定処理を経て、試料分析日時スケジュールを指定して、分析設備の使用予定を確定する（ステップＳ１０７）。
【００５７】
さらに、緊急分析事象識別機能（ステップＳ１０８）では、分析対象毎に緊急で分析を実施すべき事象を検出する。各試料分析のうちこの緊急分析事象に該当するものについては（ステップＳ１０９のＹｅｓ）、すぐに試料分析を始めるべく、また既定の試料分析スケジュールと競業を避ける処理を行うため、上述のステップＳ１０１〜Ｓ１０６を繰り返し、分析設備の使用予定を再度確定する（ステップＳ１０７）。なお、緊急分析事象に該当しない場合（ステップＳ１０９のＮｏ）は、再びステップＳ８０８の緊急分析事象識別機能に移行する。
【００５８】
なお、ここで説明した各ステップのうち、ステップＳ１０２，Ｓ１０３，Ｓ１０４，Ｓ１０５，Ｓ１０６については、その一部を省略し、あるいはステップＳ１０１→Ｓ１０２、ステップＳ１０４→Ｓ１０５の処理順序を崩さない範囲で、適宜処理順序を変更することも考えられる。
【００５９】
以上説明した各実施例においては、適宜構成を組み合わせる、あるいは複数の機能、処理手段のうち一部を削除することによっても、本発明の基本概念に含まれるものと考えることができる。構成要素の組合せあるいは一部削除によって作用効果にいくらかの差が出ることが予想されるが、本発明の基本構成によれば、概ね上述した本発明の効果を得ることができる。
【図面の簡単な説明】
【００６０】
【図１】本発明の実施例１に係る試料分析支援装置の概略を示すブロック図である。
【図２】本発明の実施例２に係る試料分析支援装置の概略を示すブロック図である。
【図３】本発明の実施例３に係る試料分析支援装置の概略を示すブロック図である。
【図４】本発明の実施例４に係る試料分析支援装置の概略を示すブロック図である。
【図５】本発明の実施例５に係る試料分析支援装置の概略を示すブロック図である。
【図６】本発明の実施例６に係る試料分析支援装置の概略を示すブロック図である。
【図７】本発明の実施例７に係る試料分析支援装置の概略を示すブロック図である。
【図８】本発明に係る試料分析支援装置による分析支援処理ステップの一例を示すフローチャートである。
【符号の説明】
【００６１】
１…表示処理部，２…表示部，３…入力部，４…分析周期設定部，５…標準分析周期データベース，６…分析日時判定部，７…分析結果データベース，８…分析予想値設定部，９…標準分析予想値データベース，１０…分析設備使用予定識別部，１１…分析設備使用予定データベース，１２…分析設備使用時間識別部，１３…分析設備標準使用時間データベース，１４…分析日時変更許容時間設定部，１５…変更許容時間データベース，１６…緊急分析事象識別部，１００…試料分析装置，１０１，１０２，１０３，１０４，１０５，１０６，１０７…試料分析支援装置，１１０…制御装置。
【図１】
2006029877.tif 000003
【図２】
2006029877.tif 000004
【図３】
2006029877.tif 000005
【図４】
2006029877.tif 000006
【図５】
2006029877.tif 000007
【図６】
2006029877.tif 000008
【図７】
2006029877.tif 000009
【図８】
2006029877.tif 000010